(57)【要約】【課題】側面開口型組立式収容箱において、作成に必要な紙等の矩形原材の少面積化と組立の容易化を図る。【解決手段】後面部１０、右側面部１１、左側面部１２、底面後縁部１３、底面右縁部１４および底面左縁部１５を有する本体１と、底面部３０、差込係止部３２および前面部３１を有する組付体２とを備え、底面後縁部の左右に形成された折曲容易線１３ａから左右外側の左右後端部１３ｂが底面左縁部および底面右縁部の下面に固着され、折曲容易線より後方において底面後縁部の上に底面右縁部および底面左縁部が非固着状態で重なった重なり部が形成され、底面部を底面後縁部と底面右縁部と底面左縁部の上に位置させ、底面部の後端から下側に折り返された差込係止部の左右端部をそれぞれ左右の重なり部の底面後縁部と底面左縁部および底面右縁部との間に差し込んで本体に係止させ、底面部から前面部を立ち上げて箱状に組み立てる。【選択図】図３
2014136579.tif 000002
【特許請求の範囲】
【請求項１】
シート材からなり、後面部と、該後面部の右端から折れ曲がった右側面部と、前記後面部の左端から折れ曲がった左側面部と、前記後面部の下端から折れ曲がった底面後縁部と、前記右側面部の下端から折れ曲がった底面右縁部と、前記左側面部の下端から折れ曲がった底面左縁部とを有する本体と、
シート材からなり、底面部と、該底面部の後端から下側に折り返された差込係止部と、前記底面部の前端から立ち上がった前面部とを有する組付体とを備え、
前記本体は、前記底面後縁部が前記底面右縁部および底面左縁部よりも下側に位置し、前記底面後縁部には該底面後縁部の右後端および左後端から前方内側に向けて斜めに延びる右折曲容易線および左折曲容易線が形成され、前記底面後縁部の前記右折曲容易線よりも右外側に位置する右固着部および前記底面後縁部の前記左折曲容易線よりも左外側に位置する左固着部がそれぞれ前記底面右縁部および底面左縁部の下面に固着されると共に、前記右折曲容易線よりも後方において前記底面後縁部の上に前記底面右縁部が、前記左折曲容易線よりも後方において前記底面後縁部の上に前記底面左縁部がそれぞれ非固着状態で重なった右重なり部および左重なり部が形成され、
前記底面部を前記底面後縁部と底面右縁部と底面左縁部の上に位置させ、前記底面部の後端から下側に折り返された差込係止部の右端部および左端部をそれぞれ前記右重なり部の底面後縁部と底面右縁部との間および前記左重なり部の底面後縁部と底面右縁部との間に差し込んで前記本体に係止させることにより、前記本体に前記組付体を組付けて全体として箱状に組み立てられることを特徴とする組立式収容箱。
【請求項２】
前記右側面部の前端から内側に折れ曲がった前面右支持部と前記左側面部の前端から内側に折れ曲がった前面左支持部とを有し、前記底面部の前端部が前記前面右支持部および前記前面左支持部の下側に位置し、前記前面部が前記前面右支持部および前記前面左支持部の前側に位置して立ち上がっていることを特徴とする請求項１記載の組立式収容箱。
【請求項３】
前記前面部の上端から延びる蓋上前部と前記後面部の上端から延びる蓋上後部とを備え、前記蓋上前部と前記蓋上後部とで蓋部が形成されることを特徴とする請求項１または２記載の組立式収容箱。
【請求項４】
前記蓋上前部の後端から立ち上がる前取っ手部と、前記蓋上後部の前端から立ち上がる後取っ手部と、前記右側面部の上端から延びる右側係止部と、前記左側面部の上端から延びる左側係止部とを備え、
前記前取っ手部と前記後取っ手部とが立ち上がった状態で重ねあわされて取っ手部を形成し、該取っ手部の右側部および左側部に前記右側係止部および左側係止部を係止させて前記蓋上前部および前記蓋上後部が開かないように保持されることを特徴とする請求項３記載の組立式収容箱。
【請求項５】
前記前面部の上端から延びる蓋上部と、該蓋上部の後縁、右側縁および左側縁から立ち下がる蓋側部とを有する蓋部を備え、該蓋部は、前記前面部の上端から直角に折り曲げられて前記蓋側部が前記後面部、右側面部および左側面部の外側に位置せしめられるものであることを特徴とする請求項１または２記載の組立式収容箱。
【発明の詳細な説明】
【技術分野】
【０００１】
本発明は、少なくとも２つのシート材例えば紙材をそれぞれ折り曲げて組み合わせてなる、側面を開口可能とした収容箱に関する。
【背景技術】
【０００２】
従来から紙材を折り曲げて組み立てた収容箱が種々知られており、例えば洋菓子店でケーキを販売する際にそのような収容箱が使用されている。
【０００３】
そのような箱としては、きわめて多くの種々の工夫を凝らした組立式の箱が知られており、例えば特許文献１〜４に記載されたような箱が提案されている。
【０００４】
そのような従来の紙材を折り曲げて組み立てる組立式収容箱には、大きく分けて２つのタイプの箱が存在する。一つは、前後左右の４つの側面が互いに連結されており、側面は開かず上面が開くタイプの上面開口型収容箱である。もう一つは、前後左右側面の一つ、例えば前面が開口する側面開口型収容箱である。いずれのタイプの収容箱も、基本的には矩形の紙原材から切り出した適宜の形状を有する１枚の紙材を用意し、販売店でその紙材を折り曲げて立体的な収容箱を組み立て、その収容箱にケーキを収容して販売することが行われている。
【先行技術文献】
【特許文献】
【０００５】
【特許文献１】特開２００５−１１９７１５号公報
【特許文献２】特開２００６−０８９０８５号公報
【特許文献３】実用新案登録第３１７９４２７号公報
【特許文献４】実用新案登録第３１６６１７８号公報
【発明の概要】
【発明が解決しようとする課題】
【０００６】
上述の上面開口型収容箱は、中に収容されたケーキを取り出す場合、ケーキを横から挟み持って上方に引き上げなければならず、その際にケーキが型崩れしやすい、あるいは箱内にケーキが一杯に入っている場合箱の中に手等を入れてケーキを横から挟み持つためのスペースがなく、箱を破って取り出さざるを得ず、そのため、一部のケーキのみを食し残りを箱に入れて冷蔵庫に保管したいと思ってもそれができない、あるいは箱を破る際ケーキにも力が作用して型崩れする等の問題があり、使い勝手はあまりよくない。
【０００７】
これに対し、側面が開くようにした側面開口型収容箱は、側面を開口して側方からケーキを取り出すことができるので使い勝手が良いが、上面開口型収容箱に比して、大きな面積の紙原材を必要としその結果材料費が高くなるという問題がある。ケーキ販売時に使用される組立式収容箱はサービス箱とも呼ばれ、無償で客に提供せざるを得ないものであるから、箱のコストは可能な限り低く抑えたいという要望がある。
【０００８】
かかるコストについて図１７、図１８を参照して具体的に説明する。
【０００９】
図１７は、一般的な上面開口型収容箱の組立に使用される紙材の展開図である。図中太実線は外形線および切込み線、細実線は折曲容易線、太破線はミシン目線を表す。収容箱は、この紙材を使用して次のように組み立てられる。即ち、後面部１００に対して右側面部１０１および左側面部１０２が直角に谷折りされ、左側面部１０２から前面部１０３が直角に谷折りされて固着部１０４が右側面部１０１の細破線で囲って示す固着領域１０１ａの内面に接着剤等で固着される。
【００１０】
底面については、後面部１００に対して底面後部１０５が、右側面部１０１に対して底面右部１０６がそれぞれ直角に谷折りされ、底面右部１０６の下側に底面後部１０５が位置し、底面後部１０５の右端部に形成された折曲容易線１０５ａから右先端側の三角形状の固着部１０５ｂが底面右部１０６の細破線で囲って示す固着領域１０６ａの下面に接着剤等で固着され、前面部１０３に対して底面前部１０７が、左側面部１０２に対して底面左部１０８がそれぞれ直角に谷折りされ、底面左部１０８の下側に底面前部１０７が位置し、底面前部１０７の左端部（図１７中では右端部）に形成された折曲容易線１０７ａから左先端側の三角形状の固着部１０７ｂが底面左部１０８の細破線で囲って示す固着領域１０８ａの下面に接着剤等で固着される。
【００１１】
上面については、後面部１００に対して蓋後部１０９が、前面部１０３に対して蓋前部１１０がそれぞれ直角に谷折りされ、蓋後部１０９および蓋前部１１０のうち後取っ手部１０９ａおよび前取っ手部１１０ａが蓋上後部１０９ｂおよび蓋上前部１１０ｂに対して直角に山折りされて起立し、起立した両取っ手部１０９ａ，１１０ａを重ねた状態で、右側係止部１１１が右側面部１０１の上端から左側に少し倒されて両取っ手部１０９ａ，１１０ａの右端部が右側係止部１１１の切込み線１１１ａに挿通され、両取っ手部の右側係止凹部１０９ｃ，１１０ｃに右側係止部１１１が係止される。同様に左側係止部１１２が左側面部１０２の上端から右側に少し倒されて両取っ手部１０９ａ，１１０ａの左端部が左側係止部１１２の切込み線１１２ａに挿通され、両取っ手部の左側係止凹部１０９ｄ，１１０ｄに左側係止部１１２が係止され、収容箱の組立が完了する。
【００１２】
上記収容箱においては、上記の組立状態から、右側係止部１１１および左側係止部１１２を両取っ手部１０９ａ，１１０ａから外し、蓋前部１１０および蓋後部１０９を前後に開くことで、箱の上面が開口し、この上面開口からケーキの出し入れが行われる。
【００１３】
図１８は、一般的な側面開口型収容箱の組立に使用される紙材の展開図である。図中太実線は外形線および切込み線、細実線は折曲容易線、太破線はミシン目線を表す。収容箱は、この紙材を使用して次のように組み立てられる。即ち、底面部１２０に対して後面部１２１、右側面部１２２、左側面部１２３がそれぞれ直角に谷折りされて立ち上げられ、右固着部１２４および左固着部１２５が、それぞれ後面部１２１に対して直角に谷折りされて右側面部１２２の細破線で囲って示す固着領域１２２ａの内面に、および、左側面部１２３の細破線で囲って示す固着領域１２３ａの内面に接着剤等で固着され、さらに、右側面部１２２に対して右前部１２６が、左側面部１２３に対して左前部１２７がそれぞれ直角に谷折りされ、両前部の切込み１２６ａ，１２７ａのうち一方の切込みが他方の切込みに差し込まれて両前部１２６，１２７が互いに係止される。また、前面部１２８が底面部１２０に対して直角に谷折りされて立ち上げられる。
【００１４】
上面については、後面部１２１に対して蓋後部１２９が、前面部１２８に対して蓋前部１３０がそれぞれ直角に谷折りされ、蓋後部１２９および蓋前部１３０のうち後取っ手部１２９ａおよび前取っ手部１３０ａが蓋上後部１２９ｂおよび蓋上前部１３０ｂに対して直角に山折りされて起立し、起立した両取っ手部１２９ａ，１３０ａを重ねた状態で、右側係止部１３１が右側面部１２２の上端から左側に少し倒されて両取っ手部１２９ａ，１３０ａの右端部が右側係止部１３１の切込み線１３１ａに挿通され、両取っ手部の右側係止凹部１２９ｃ，１３０ｃに右側係止部１３１が係止される。同様に左側係止部１３２が左側面部１２３の上端から右側に少し倒されて両取っ手部１２９ａ，１３０ａの左端部が左側係止部１３２の切込み線１３２ａに挿通され、両取っ手部の左側係止凹部１２９ｄ，１３０ｄに左側係止部１３２が係止され、収容箱の組立が完了する。
【００１５】
上記収容箱においては、上記の組立状態から、右側係止部１３１および左側係止部１３２を両取っ手部１２９ａ，１３０ａから外し、蓋前部１３０を手前に引きながら前面部１２８を手前に倒し、右前部１２６と左前部１２７との係止状態を解除し、両前部１２６，１２７を左右に開いて収容箱の前面を開口し、この前面開口からケーキの出し入れが行われる。
【００１６】
上記の両収容箱の製造コストについて検討すると、従来の一般的な上面開口型収容箱の場合は、矩形の紙原材から図１７に示す形状の紙材を切り出し、切り出した紙材を用いて箱を組み立てることになるが、その際、例えば図示のような底面が１２０ｍｍ×１８０ｍｍ、高さが１１０ｍｍの箱の場合、その紙原材として、図示のように、６１４ｍｍ×２８４ｍｍ＝１７４３７６ｍｍ２の矩形の紙原材１１３を必要とする。
【００１７】
これに対し、従来の一般的な側面開口型収容箱の場合は、矩形の紙原材から図１８に示す形状の紙材を切り出すこととなり、その場合、同じく底面が１２０ｍｍ×１８０ｍｍ、高さが１１０ｍｍの箱を組み立てる場合、紙原材として、図示のように、５００ｍｍ×５３８ｍｍ＝２６９０００ｍｍ２の矩形の紙原材１３３を必要とする。すなわち、従来の側面開口型収容箱の場合、前面が開口して使い勝手が良いものの、上面開口型収容箱に比して約１．５倍の大きな面積の紙原材を必要とし、その分コスト高になってしまうという問題がある。
【００１８】
本発明は、上記事情に鑑みてなされたものであり、側面開口型の使いやすい収容箱であってかつ従来の側面開口型収容箱よりもより小さな面積の矩形のシート原材から作成することができ、製造コストを低く抑えることのできる組立式収容箱を提供することを目的とする。
【課題を解決するための手段】
【００１９】
本発明の組立式収容箱は、
シート材からなり、後面部と、該後面部の右端から折れ曲がった右側面部と、前記後面部の左端から折れ曲がった左側面部と、前記後面部の下端から折れ曲がった底面後縁部と、前記右側面部の下端から折れ曲がった底面右縁部と、前記左側面部の下端から折れ曲がった底面左縁部とを有する本体と、
シート材からなり、底面部と、該底面部の後端から下側に折り返された差込係止部と、前記底面部の前端から立ち上がった前面部とを有する組付体とを備え、
前記本体は、前記底面後縁部が前記底面右縁部および底面左縁部よりも下側に位置し、前記底面後縁部には該底面後縁部の右後端および左後端から前方内側に向けて斜めに延びる右折曲容易線および左折曲容易線が形成され、前記底面後縁部の前記右折曲容易線よりも右外側に位置する右固着部および前記底面後縁部の前記左折曲容易線よりも左外側に位置する左固着部がそれぞれ前記底面右縁部および底面左縁部の下面に固着されると共に、前記右折曲容易線よりも後方において前記底面後縁部の上に前記底面右縁部が、前記左折曲容易線よりも後方において前記底面後縁部の上に前記底面左縁部がそれぞれ非固着状態で重なった右重なり部および左重なり部が形成され、
前記底面部を前記底面後縁部と底面右縁部と底面左縁部の上に位置させ、前記底面部の後端から下側に折り返された差込係止部の右端部および左端部をそれぞれ前記右重なり部の底面後縁部と底面右縁部との間および前記左重なり部の底面後縁部と底面右縁部との間に差し込んで前記本体に係止させることにより、前記本体に前記組付体を組付けて全体として箱状に組み立てられることを特徴とする。
【発明の効果】
【００２０】
本発明によれば、収容箱を本体と組付体の２つを組み合わせて組み立てるようにし、本体に後面部と右側面部と左側面部を担わせ、組付体に底面部と前面部とを担わせたので、本体を形成するシート材と組付体を形成するシート材をともに矩形に近い形状とすることができ、その結果、本体用シート材および組付体用シート材をそれぞれそれらの外形形状に近い形状の矩形のシート原材から切り出して作成することができ、シート原材から本体用シート材および組付体用シート材を切り出す際に発生する無駄（廃棄されるシート原材）の量（面積）を小さくできるので、即ち必要なシート原材の面積を小さくできるので、箱製造コストの低減を図ることができる。
【００２１】
また、２つの部材を組付けて収容箱を組み立てる場合には、その組付けの手間が問題となるが、本発明によれば、本体側において底面後縁部の右端部および左端部に斜めの右折曲容易線および左折曲容易線が形成され、右折曲容易線よりも右外側の右固着部が底面右縁部の下面に、左折曲容易線よりも左外側の左固着部が底面左縁部の下面に固着されると共に、右折曲容易線および左折曲容易線よりも後方において底面後縁部の上に底面右縁部および底面左縁部が非固着状態で重なった右重なり部および左重なり部が形成され、組付体側において差込係止部を底面部の後端から下側に折り返し、この折り返した差込係止部の右端部および左端部をそれぞれ右重なり部および左重なり部に差し込んで係止保持させる態様としたので、後述するようにワンタッチ操作的に組付けを行うことができ、組付けを簡単に行うことができる。
【００２２】
本発明は、上述のように、収容箱を組み立てるためのシート材を少なくとも本体用シート材と組付体用シート材に分割し、本体用シート材に後面部と右側面部と左側面部を担わせ、組付体用シート材に底面部と前面部とを担わせるようにしたこと、および、それらの組付けを上述のように組付体側の差込係止部を折り返した状態で本体側の底面後縁部と底面右縁部および底面左縁部との重なり部分に差し込んで係止保持させる構成としたことを特徴とし、これらの特徴によって上述のコスト低減と組立ての容易化を図ることができるものである。
【００２３】
なお、前面部については何らかの方法で本体に係止させることが望ましく、その係止を行うに当たっては種々の係止態様を採用し得る。例えば、前面部から所定形状の延長部を延出させ、その延長部を介して本体に容易に係止解除可能な態様で係止させる方法を採用することができる。以下に述べる実施形態では蓋部（蓋前部）を備えており、延長部の一例である蓋部を介して本体に係止するように構成しているが、延長部は必ずしも蓋部である必要はなく、また蓋部であったとしてもその具体的な態様は下記実施形態以外の種々のものを使用し得る。さらに、蓋部は別途蓋部用シート材を用意して独立した蓋体として形成するようにしてもよく、あるいは、蓋部を備えない収容箱とすることもできる。
【図面の簡単な説明】
【００２４】
【図１】本発明の第１実施形態の収容箱の組立てに使用する本体用紙材の展開図
【図２】本発明の第１実施形態の収容箱の組立てに使用する組付体用紙材の展開図
【図３】本発明の第１実施形態における本体と組付体との組立方法を示す斜視図
【図４】図３の状態から更に組立てを進めた状態を示す斜視図
【図５】図４の状態から更に組立てを進めた状態を示す斜視図
【図６】図５の状態から更に組立てを進めて組立てが完了した状態を示す斜視図
【図７】本発明の第１実施形態の本体の保管時の状態を示す正面図
【図８】本発明の第１実施形態の保冷剤収容領域を画成した状態を示す斜視図
【図９】本発明の第２実施形態の収容箱の組立てに使用する本体用紙材の展開図
【図１０】本発明の第２実施形態の収容箱の組立てに使用する組付体用紙材の展開図
【図１１】本発明の第２実施形態における本体と組付体との組立方法を示す斜視図
【図１２】組付体の蓋部を組み立てる手順を示す斜視図
【図１３】図１２の状態から更に蓋部の組立てを進めた状態を示す斜視図
【図１４】図１１の状態から更に組立てを進めた状態を示す斜視図
【図１５】図１４の状態から更に組立てを進めた状態を示す斜視図
【図１６】図１５の状態から更に組立てを進めて組立てが完了した状態を示す斜視図
【図１７】従来の上面開口型収容箱の組立てに使用する紙材の展開図
【図１８】従来の側面開口型収容箱の組立てに使用する紙材の展開図
【発明を実施するための形態】
【００２５】
以下、図面を参照して本発明の実施形態について説明する。なお、以下の実施形態ではシート材（シート状の材料）として紙材を用いているが、紙以外の材料のシート材であっても紙材と同様に箱を組み立てることができるものであれはいかなるシート材でも使用可能である。
【００２６】
＜第１実施形態＞
まず、本発明の第１実施形態について説明する。第１実施形態の収容箱は、それぞれ紙材からなる本体と組付体の２つの部材を組付けて組み立てられるものであり、図１は本体用紙材の展開図、図２は組付体用紙材の展開図である。図において、太実線は外形線もしくは切込線、細実線は折曲容易線、太破線はミシン目線を表す。
【００２７】
（本体）
図１に示すように、第１実施形態の本体用紙材１Ａは、後面部１０と、後面部１０の右端から延びた右側面部１１と、後面部１０の左端から延びた左側面部１２と、後面部１０の下端から延びた底面後縁部１３と、右側面部１１の下端から延びた底面右縁部１４と、左側面部１２の下端から延びた底面左縁部１５と、後面部１０の上端から延びた蓋後部１６と、右側面部１１の上端から延びた右側係止部１７と、左側面部１２の上端から延びた左側係止部１８と、右側面部１１の前端（図１中では右端）から延びた前面右支持部１９と、左側面部１２の前端（図１中では左端）から延びた前面左支持部２０とを備えている。各部の境界は折曲容易線（本明細書で「折曲容易線」とは、容易に折り曲げることができる線状の領域を意味する）とされ、かつ、底面後縁部１３には、底面後縁部１３の後端（図１中では上端）の左右端位置から該後端に対して角度４５°で前方内側（図１中では下方内側）に向けて斜めに直線的に延びる左右の折曲容易線１３ａが形成されている。また、蓋後部１６は後面部１０側の蓋上後部１６ａと取っ手部１６ｂとで構成され、蓋上後部１６ａと取っ手部１６ｂとの境界は、中央に形成された略Ｕ字状の切込み線１６ｃと切込み線１６ｃの左右両端から後面部１０の上端と平行に左右に延びる折曲容易線１６ｄとで形成されている。
【００２８】
上記本体用紙材１Ａを用い、後面部１０に対して右側面部１１および左側面部１２を直角に谷折りし、後面部１０に対して底面後縁部１３を直角に谷折りし、右側面部１１に対して底面右縁部１４を直角に谷折りし、左側面部１２に対して底面左縁部１５を直角に谷折りし、底面後縁部１３を底面右縁部１４および底面左縁部１５の下側に位置させる。この状態で、底面後縁部１３の右折曲容易線１３ａよりも右外側の三角形状の右固着部１３ｂを該固着部１３ｂが対面している底面右縁部１４の破線で囲って示す三角形状の固着領域１４ａの下面に接着剤等で固着し、同様に、左折曲容易線１３ａよりも左外側の三角形状の左固着部１３ｂを該固着部１３ｂが対面している底面左縁部１５の破線で囲って示す三角形状の固着領域１５ａの下面に接着剤等で固着して、本体１（図３参照）を組み立てる。
【００２９】
（組付体）
一方、図２に示すように、第１実施形態の組付体用紙材２Ａは、底面部３０と、底面部３０の前端（図２中では下端）から延びる前面部３１と、底面部３０の後端（図２中では上端）から延びる差込係止部３２と、前面部３１の上端（図２中では下端）から延びる蓋前部３３とを備えている。各部の境界は折曲容易線とされている。また、蓋前部３３は、前面部３１側の蓋上前部３３ａと、取っ手部３３ｂとで構成され、蓋上前部３３ａと取っ手部３３ｂとの境界は中央に形成された略Ｕ字状の切込み線３３ｃと切込み線３３ｃの左右両端から前面部３１の上端と平行に左右に延びる折曲容易線３３ｄとで形成されている。各部の境界は折曲容易線とされている。
【００３０】
上記組付体用紙材２Ａを用い、差込係止部３２を底面部３０に対して折り返して底面部３０に重ねる状態として、組付体２（図３参照）を組み立てる。この場合、底面部３０と差込係止部３２との境界線部分は中央をミシン目線、ミシン目線の外側を折曲容易線として、１８０°の折り返しを容易としている。
【００３１】
（箱組立）
次に、上記本体１と組付体２とを用いた収容箱の組立てについて説明する。まず、上述のように組み立てられた本体１において右側面部１１および左側面部１２を後面部１０に対して直角な状態から内側に折り曲げて図３に示す状態、もしくは、図３に示す状態からさらに右側面部１１および左側面部１２を折り曲げた状態とする。このような状態とすることにより、図３に示すように、底面後縁部１３、底面右縁部１４および底面左縁部１５はそれぞれ上方に向けて斜めに立ち上がるとともに底面後縁部１３の右折曲容易線１３ａおよび左折曲容易線１３ａが山折りされて右固着部１３ｂおよび左固着部１３ｂが折れ曲がり、後面部１０の下端部に対して、底面後縁部１３と、底面右縁部１４の固着領域１４ａよりも後方（図１中では左方）に位置する後端部１４ｂと、底面左縁部１５の固着領域１５ａよりも後方（図１中では右方）に位置する後縁部１５ｂとが、上端に所定間隔をあけて対面した状態となっている。
【００３２】
この状態から、図３に示すように、組立体２を、折り返された差込係止部３２を前側に位置させて、差込係止部３２側から本体１の後面部１０に沿って後面部１０の内面側を滑らせながら底面側に差し込んでいき、底面部３０の後端（図３中では下端）が後面部１０の下端に届くまで差し込む。そうすると、前述のように、本体１においては後面部１０の下端部に対して底面後縁部１３と底面右縁部の後端部１４ｂと底面左縁部の後端部１５ｂとが上端に所定間隔をあけた開口状態で対面しているので、そこに底面部３０の後端部と折り返された差込係止部３２とが挿入され、その挿入状態から右側面部１１と左側面部１２を横方向に開くと、例えば、その挿入状態から底面後縁部１３と差込係止部３２とを重ねた状態で手前に倒すことで右側面部１１と左側面部１２を開くと、図４に示すように、底面後縁部１３と底面右縁部１４と底面左縁部１５とがともに後面部１０、右側面部１１および左側面部１２に対して直角な同一平面上に位置する状態となり、差込係止部３２の右端部が底面後縁部１３と底面右縁部の後端部１４ｂとの間に挟まれて保持係止され、差込係止部３２の左端部が底面後縁部１３と底面左縁部の後端部１５ｂとの間に挟まれて保持係止された状態になる。
【００３３】
この図４に示す状態から、組付体２の底面部３０を前面部３１および蓋前部３３とともに前方に倒し、図５に示すように、底面部３０を底面後縁部１３、底面右縁部１４および底面左縁部１５の上に当接させて位置させ、底面部３０の前端を前面右支持部１９および前面左支持部２０の下端の下側に位置させるとともに前面右支持部１９および前面左支持部２０をそれぞれ右側面部１１および左側面部１２に対して直角に内側に向けて折り曲げた状態とする。
【００３４】
この図５に示す状態から、前面部３１を底面部３０に対して折り曲げて立ち上げ、さらに立ち上げた前面部３１に対して蓋前部３３を後方に向けて直角に谷折りするとともに本体１の蓋後部１６を後面部１０に対して前方に向けて直角に谷折りし、蓋前部の取っ手部３３ｂおよび蓋後部の取っ手部１６ｂをそれぞれ蓋上前部３３ａおよび蓋上後部１６ａから山折りして起立させ、起立した両取っ手部１６ｂ，３３ｂを重ねた状態で右側係止部１７を右側面部１１の上端から左側に少し倒して両取っ手部１６ｂ，３３ｂの右端部を右側係止部の切込み線１７ａに挿通させ、両取っ手部１６ｂ，３３ｂの右側係止凹部１６ｅ、３３ｅに右側係止部１７を係止させる。同様に左側係止部１８を左側面部１２の上端から右側に少し倒して両取っ手部１６ｂ，３３ｂの左端部を左側係止部の切込み線１８ａに挿通させ、両取っ手部１６ｂ，３３ｂの左側係止凹部１６ｅ、３３ｅに左側係止部１８を係止させ、これにより収容箱は図６に示す組立完了状態となる。
【００３５】
この組立完了状態において、組付体２はその差込係止部３２が本体１の底面後縁部１３と底面右縁部１４および底面左縁部１５との間に挟まれて確実に保持され、また底面部３０の前端は前面右支持片１９および前面左支持片２０の下端で上から抑えられて底面部３０の浮き上りが阻止され、かつ、前面部３１は前面右支持片１９および前面左支持片２０によって内面側から支持されて前面部３１の内側への倒れ込みが阻止され、全体として堅牢な収容箱を組み立てることができる。
【００３６】
（紙材の保管）
本第１実施形態の収容箱を例えばケーキ販売店で使用する場合、販売店で多数の本体１と組付体２とを保管しておく必要がある。組付体２の場合は基本的に１枚の平板状の紙材の状態で積み重ねて保管すればよく、本体１については、図３に示す状態からさらに右側面部１１および左側面部１２を内側に折り曲げて後面部１０上に折り畳み、全体として図７に示す平板状とした状態で積み重ねて保管することができるので、保管スペースの面でも好都合である。
【００３７】
（ケーキの出し入れ）
この収容箱を例えばケーキ販売店で使用する場合、図７に示す状態で保管されている本体１を保管場所から取り出し、右側面部１１および左側面部１２を少し開いて例えば図３の状態とし、前述した態様で組付体２を組付けて図５に示す前面が開口した状態とし、この状態で箱内にケーキを入れ、次いで前述の態様で図６に示す組立完了状態として顧客に手渡せばよく、顧客は、図６に示す組立完了状態から右側係止部１７および左側係止部１８を取っ手部１６ｂ，３３ｂから外し、蓋前部３３を手前に引きながら前面部３１を前に倒して図５に示す前面開口状態とし、この前面開口からケーキを取り出すことができるので、ケーキを型崩れさせることなく容易に出し入れすることができる。
【００３８】
（保冷剤収容領域）
第１実施形態の収容箱においては、図１に示すように、本体用紙材１Ａを矩形の紙原材１Ｂから切り出して本体１を組み立てるが、その場合紙原材１Ｂにおいて右側係止部１７および左側係止部１８の上に余白が生じるので、その余白を利用して箱内に保冷剤収納領域を形成するための仕切体３５を作成している。仕切体３５は、図示のように略Ｕ字状の切込み線３５ａと切込み線３５ａの両端から延びる折曲容易線３５ｂが形成されており、切込み線３５ａと折曲容易線３５ｂとで、底部３５ｃと仕切部３５ｄとに区画されている。一方、組付体２の底面部３０には、図２に示すように、所定の間隔をあけて２本の切込み線３０ａが底面部３０の左端縁から右側に向かって所定長形成され、２本の切込み線３０ａの右端同士を結ぶように直線の折曲容易線３０ｂが形成され、２本の切込み線３０ａと折曲容易線３０ｂとで囲まれた領域は支持片３０ｃである。保冷剤収容領域は、例えば図５の状態から、底面部３０の支持片３０ｃを折曲容易線３０ｂで折り曲げて立ち上げ、仕切体３５は、底部３５ｃに対して仕切部３５ｄを折曲容易線３５ｂで折り曲げて立ち上げ、この仕切体３５を、図８に示すように、支持片３０ｃと左側面部１２との間に挿入し、底部３５ｃを底面部３０の上に載置するとともに仕切部３５ｄを支持片３０ｃで支持させ、かつ、底部３５ｃ中の略Ｕ字状の切込み線で囲まれた部分である突出部３５ｅを底面部３０の折曲容易線３０ｂ部分から底面部３０の下側に挿入する。底面部３０の左端縁と支持片３０ｃまでの距離と仕切体の底部３５ｃの幅はほぼ同一に作成されているので、仕切体３５は、底面３５ｃが左側面部１２と支持片３０ｃとで挟まれ、かつ、突出部３５ｅが底面部３０により上から押さえられるので、図８の状態に安定して保持され、左側面部１２と仕切部３５ｄとの間に保冷剤収容領域を形成することができる。
【００３９】
（コスト低減）
本体用紙材１Ａおよび組付体用紙材２Ａは、いずれも矩形状の紙原材から打ち抜き等により切り出して作成される。その際に必要となる紙原材は、本体用紙材１Ａの場合、図１に示されているように、４５０ｍｍ×２５０ｍｍ＝１１２５００ｍｍ２の矩形紙原材１Ｂ、組付体用紙材２Ａの場合、図２に示されているように、３５４ｍｍ×１８０ｍｍ＝６３７２０ｍｍ２の矩形紙原材２Ｂであり、両者の和である１１２５００ｍｍ２＋６３７２０ｍｍ２＝１７６２２０ｍｍ２の紙原材を用いて収容箱を組み立てることができる。
【００４０】
即ち、第１実施形態の側面開放型収容箱は、従来の一般的な側面開口型収容箱であって同じ底面が１２０ｍｍ×１８０ｍｍ、高さが１１０ｍｍの箱の場合、前述のように例えば２６９５００ｍｍ２の紙原材を必要とするのに対し、１７６２２０ｍｍ２で済み、紙原材の使用量を大幅に低減することができ、コストの大きな部分を占める紙代を節約できることから箱のコストを大きく低減することができる。
【００４１】
即ち、収容箱を形成するための紙材を、上記のような本体用紙材と組付体用紙材に分けることにより、それぞれの紙材をより矩形に近い形とすることができ、従来の１枚の紙材で組み立てる場合に比して矩形紙原材の無駄を少なくし、必要な矩形紙原材の面積低減により箱製造コストの低減を図ることができる。
【００４２】
（組立容易性および堅牢性）
また、一般に２つの部材で箱を組み立てる場合、両部材の組付けの手間および組付け後の堅牢性が問題となるが、第１実施形態の場合、図７に示す保管状態の本体１もしくはその保管状態から右側面部１１および左側面部１２を少し開いた本体１（図３参照）に対して、図３で説明したように差込係止部３２を折り返した組付体２を差し込んで右側面部１１および左側面部１２を開くだけで組付けることができ、いわゆるワンタッチ操作的に組付けが行えるので、組付けがきわめて簡単であり、かつ、箱の組立完了状態においては、上述のように差込係止部３２は底面後縁部１３と底面右縁部１４および底面左縁部１５とで挟持され、底面部３０の前端は前面右支持部１９および前面左支持部２０の下端によって浮き上りを阻止され、さらにそれらの支持部１９，２０によって前面部３１が内側に倒れ込むのを阻止されるので、全体として堅牢な箱を組み立てることができる。
【００４３】
＜第２実施形態＞
次に、本発明の第２実施形態について説明する。第２実施形態の収容箱も、それぞれ紙材からなる本体と組付体の２つの部材を組み付けて組み立てられるものであり、図９は本体用紙材の展開図、図１０は組付体用紙材の展開図である。図において、太実線は外形線もしくは切込線、細実線は折曲容易線、太破線はミシン目線を表す。
【００４４】
（本体）
図９に示すように、第２実施形態の本体用紙材３Ａは、後面部４０と、後面部４０の右端から延びた右側面部４１と、後面部４０の左端から延びた左側面部４２と、後面部４０の下端から延びた底面後縁部４３と、右側面部４１の下端から延びた底面右縁部４４と、左側面部４２の下端から延びた底面左縁部４５と、右側面部４１の前端（図９中では右端）から延びた前面右支持部４６と、左側面部４２の前端（図９中では左端）から延びた前面左支持部４７とを備えている。各部の境界は折曲容易線とされ、かつ、底面後縁部４３には、底面後縁部４３の後端（図９中では上端）の左右端位置から該後端に対して角度４５°で前方内側（図９中では下方内側）に向けて斜めに直線的に延びる左右の折曲容易線４３ａが形成されている。
【００４５】
上記本体用紙材３Ａを用い、後面部４０に対して右側面部４１および左側面部４２を直角に谷折りし、後面部４０に対して底面後縁部４３を直角に谷折りし、右側面部４１に対して底面右縁部４４を直角に谷折りし、左側面部４２に対して底面左縁部４５を直角に谷折りし、底面後縁部４３を底面右縁部４４および底面左縁部４５の下側に位置させる。この状態で、底面後縁部４３の右折曲容易線４３ａよりも右外側の三角形状の右固着部４３ｂを該固着部４３ｂが対面している底面右縁部の破線で囲って示す三角形状の固着領域４４ａに接着剤等で固着し、同様に、左折曲容易線４３ａよりも左外側の三角形状の左固着部４３ｂを該固着部４３ｂが対面している底面左縁部の破線で囲って示す三角形状の固着領域４５ａに接着剤等で固着して、本体３（図１１参照）を組み立てる。
【００４６】
組み立てられた本体３は、図１１に示す状態からさらに右側面部４１および左側面部４２を内側に折り畳んで全体を第１実施形態の図７に示す状態と同様の平板状とし、この状態で多数積み重ねて保管される。
【００４７】
（組付体）
一方、図１０に示すように、第２実施形態の組付体用紙材４Ａは、底面部５０と、底面部５０の前端（図１０中では下端）から延びる前面部５１と、底面部５０の後端（図２中では上端）から延びる差込係止部５２と、前面部５１の上端（図１０中では下端）から延びる蓋上部５３と、蓋上部５３の右端から延びる蓋右側部５４と、蓋上部５３の後端（図１０中では下端）から延びる蓋後側外部５５ａと、蓋後側外部５５ａの下端から延びる蓋後側内部５５ｂと、蓋上部５３の左端から延びる蓋左側部５６と、蓋右側部５４の後端（図１０中では下端）と蓋後側外部５５ａの右端から延びる右角部５７と、蓋左側部５６の後端（図１０中では下端）と蓋後側外部５５ａの左端から延びる左角部５８とを備え、右角部５７には蓋上部５３の右後角（図１０中では右下角）から右角部５７を２分割するように中央を延びるミシン目線５７ａが、左角部５８には蓋上部５３の左後角（図１０中では左下角）から左角部５８を２分割するように中央を延びるミシン目線５８ａが形成されている。上記各部の境界は折曲容易線とされている。
【００４８】
上記組付体用紙材４Ａを用い、図１１に示す状態の組付体４を形成する。まず、図１０に示す状態から、差込係止部５２を底面部５０に対して山折りして折り返し底面部５０の裏側に位置させる。この場合、底面部５０と差込係止部５２との境界線は中央をミシン目線、ミシン目線の外側を折曲容易線とし、１８０°の折り返しを容易としている。次いで、蓋上部５３の周囲に蓋側部５９を形成する。この蓋側部５９の形成は、図１０に示す状態から、蓋後側内部５５ｂを蓋後側外部５５ａに対して谷折りして折り返して蓋後側外部５５ａに重ね合わせ、左右方向の中央部に設定した蓋後側外部の固着領域５５ｃと蓋後側内部の固着領域５５ｄとを接着剤等を用いて固着して、図１２に示すように蓋後側部５５を形成する。次に、蓋後側部５５と蓋右側部５４と蓋左側部５６とを蓋上部５３に対してそれぞれ谷折りして斜めに立ち上げるとともに、右角部５７および左角部５８もその中央のミシン目線５７ａ，５８ａで山折りして折り畳みながら立ち上げて図１３に示す状態とする。そして、この図１３に示す状態から、右角部５７および左角部５８をさらにミシン目線５７ａ，５８ａで折り畳みながら、蓋後側部５５の右端部および左端部では蓋後側外部５５ａと蓋後側内部５５ｂとが固着されていないので蓋後側外部５５ａに対して蓋後側内部５５ｂを持ち上げてそこに折り畳んだ右角部５７および左角部５８を差し込み、さらに蓋後側部５５と蓋右側部５４と蓋左側部５６とを蓋上部５３に対して直角に立ち上げることで、図１１に示す状態の蓋側部５９を形成する。この状態においては、右角部５７および左角部５８は完全に折り畳まれて蓋後側内部５５ｂと蓋後側外部５５ａとの間に挟持され、蓋後側部５５と蓋右側部５４と蓋左側部５６とは一体となって強固な蓋側部５９が形成され、この蓋側部５９と蓋上部５３とで蓋部６０が形成される。以上により組付体４が形成される。なお、図１２および図１３は、図１１に示す組付体４を左右反対にして裏側から見た状態を示しているので、蓋右側部５４が図中左側に、蓋左側部５６が図中右側に位置している。
【００４９】
（箱組立）
次に、上記本体３と組付体４とを用いた収容箱の組立てについて説明する。まず、上述のように形成され、右側面部４１と左側面部４２とを折り畳んで保管されている本体３を、その保管状態から右側面部４１および左側面部４２を所定量開いた状態、例えば図１１に示す状態とする。このような状態とすることにより、図１１に示すように、底面後縁部４３、底面右縁部４４および底面左縁部４５はそれぞれ上方に向けて斜めに立ち上がるとともに底面後縁部４３の右折曲容易線４３ａおよび左折曲容易線４３ａが山折りされて固着部４３ｂが折れ曲がり、後面部４０の下端部に対して、底面後縁部４３と、底面右縁部の固着領域４４ａよりも後方（図９中では左方）に位置する後端部４４ｂと、底面左縁部の固着領域４５ａよりも後方（図９中では右方）に位置する後端部４５ｂとが、上端に所定間隔をあけて対面した状態となっている。
【００５０】
この状態から、図１１に示すように、組立体４を、折り返された差込係止部５２を前側に位置させて、差込係止部５２側から本体３の後面部４０に沿って後面部４０の内面側を滑らせながら底面側に差し込んでいき、底面部５０の後端（図１１中では下端）が後面部５０の下端に届くまで差し込む。そうすると、前述のように、本体３においては後面部５０の下端部に対して底面後縁部４３と底面右縁部の後端部４４ｂと底面左縁部の後端部４５ｂとが上端に所定間隔をあけた開口状態で対面しているので、そこに底面部５０の後端部と折り返された差込係止部５２とが挿入され、その挿入状態から右側面部４１と左側面部４２を横方向に開くと、例えば、その挿入状態から底面後縁部４３と差込係止部５２とを重ねた状態で手前に倒すことで右側面部４１と左側面部４２を開くと、図１４に示すように、底面後縁部４３と底面右縁部４４と底面左縁部４５とがともに後面部４０、右側面部４１および左側面部４２に対して直角な同一平面上に位置する状態となり、差込係止部５２の右端部が底面後縁部４３と底面右縁部の後端部４４ｂとの間に挟まれて保持係止され、差込係止部５２の左端部が底面後縁部４と底面左縁部の後端部４５ｂとの間に挟まれて保持係止された状態になる。
【００５１】
この図１４に示す状態から、組付体４の底面部５０を前面部５１および蓋部６０とともに前方に倒し、図１５に示すように、底面部５０を底面後縁部４３、底面右縁部４４および底面左縁部４５の上に当接させて位置させ、底面部５０の前端を前面右支持部４６および前面左支持部４７の下端の下側に位置させるとともに前面右支持部４６および前面左支持部４７をそれぞれ右側面部４１および左側面部４２に対して直角に内側に向けて折り曲げた状態とする。
【００５２】
この図１５に示す状態から、前面部５１を底面部５０に対して折り曲げて立ち上げ、さらに立ち上げた前面部５１に対して蓋部６０を後方に向けて直角に谷折りして蓋部６０を本体３の上端部に被せて蓋をした状態とし、これにより収容箱は図１６に示す組立完了状態となる。
【００５３】
この組立完了状態において、組付体４はその差込係止部５２が本体３の底面後縁部４３と底面右縁部４４および底面左縁部４５との間に挟まれて確実に保持され、また底面部５０の前端は前面右支持部４６および前面左支持部４７の下端で上から抑えられて底面部５０の浮き上りが阻止され、かつ、前面部５１は前面右支持部４６および前面左支部４７によって内面側から支持されて前面部５１の内側への倒れ込みが阻止され、蓋部６０はその蓋側部５９が本体１の後面部４０、右側面部４１および左側面部４２の上端部を外側から取り囲んで該上端部に係止された状態となっているので、全体として堅牢な収容箱を組み立てることができる。
【００５４】
（紙材の保管）
第２実施形態の収容箱の保管は、組付体４については、図１２に示すような、蓋後側内部５５ｂを折り返して蓋後側外部５５ａに重ね合わせ、中央部の固着領域５５ｃ，５５ｄで固着して蓋後側部５５を形成した１枚の平板状の状態で積み重ねて保管すればよく、本体３については、第１実施形態と同様に、図１１に示す状態からさらに右側面部４１および左側面部４２を内側に折り曲げて後面部４０上に折り畳み、全体として平板状とした状態で積み重ねて保管することができる。
【００５５】
（ケーキの出し入れ）
この収容箱を例えばケーキ販売店で使用する場合、折り畳んで平板状の状態で保管されている本体３を保管場所から取り出し、右側面部４１および左側面部４２を少し開いて例えば図１１の状態とし、組付体４については前述の方法で蓋側部５９を形成した図１１に示す状態とし、上記状態の本体３に上記状態の組付体４を前述した方法で組み付けて図１５に示す前面が開口した状態とし、この状態で箱内にケーキを入れ、次いで前述の方法で図１６に示す組立完了状態として顧客に手渡せばよく、顧客は、図１６に示す組立完了状態から蓋部６０を上に持ち上げて手前に引きながら前面部５１を前に倒して図１５に示す前面開口状態とし、この前面開口からケーキを取り出すことができるので、ケーキを型崩れさせることなく容易に出し入れすることができる。
【００５６】
（コスト低減）
本体用紙材３Ａおよび組付体用紙材４Ａは、いずれも矩形状の紙原材から打ち抜き等により切り出して作成される。その際に必要となる紙原材は、本体用紙材３Ａの場合、図９に示されているように、４５０ｍｍ×１４０ｍｍ＝６３０００ｍｍ２の矩形紙原材３Ｂ、組付体用紙材４Ａの場合、図１０に示されているように、２３５ｍｍ×４２５ｍｍ＝９９８７５ｍｍ２の矩形紙原材４Ｂであり、両者の和である６３０００ｍｍ２＋９９８７５ｍｍ２＝１６２８７５ｍｍ２の紙原材を用いて収容箱を組み立てることができる。
【００５７】
即ち、第２実施形態の側面開放型収容箱は、従来の一般的な側面開口型収容箱であって同じ底面が１２０ｍｍ×１８０ｍｍ、高さが１１０ｍｍの箱の場合、前述のように例えば２６９５００ｍｍ２の紙原材を必要とするのに対し、１６２８７５ｍｍ２で済み、矩形紙原材の使用量を大幅に低減することができ、コストの大きな部分を占める紙代を節約できることから箱のコストを大きく低減することができる。
【００５８】
即ち、収容箱を形成するための紙材を、上記のような本体用紙材と組付体用紙材に分けることにより、それぞれの紙材をより矩形に近い形とすることができ、従来の１枚の紙材で組み立てる場合に比して矩形紙原材の無駄をより少なくし、必要な矩形原原材の面積をより小さくし、コストの低減を図ることができる。
【００５９】
（組立容易性／堅牢性）
また、一般に２つの部材で箱を組み立てる場合、両部材の組付けの手間および組付け後の堅牢性が問題となるが、第２実施形態の場合、平板状に折り畳んだ保管状態の本体３もしくはその保管状態から右側面部４１および左側面部４２を少し開いた本体３（図１１参照）に対して、図１１で説明したように差込係止部５２を折り返した組付体４を差し込んで右側面部４１および左側面部４２を開くだけで組み付けることができ、いわゆるワンタッチ操作的に組付けが行えるので、組付けがきわめて簡単である。なお、第２実施形態の場合は、蓋側部５９を組み立てる必要があるが、その組立ても上述のように右角部５７および左角部５８を折り畳んで蓋後側内部５５ｂと蓋後側外部５５ａの間に差し込むだけで良いので簡単である。また、この組立完了状態においては、上述のように差込係止部５２は底面後縁部４３と底面右縁部４４および底面左縁部４５とで挟持され、底面部５０の前端は前面右支持部４６および前面左支持部４７の下端によって浮き上りを阻止され、さらにそれらの支持部４６，４７によって前面部５１が内側に倒れ込むのを阻止されるので、全体として堅牢な箱を組み立てることができる。
【符号の説明】
【００６０】
１，３      本体
２，４      組付体
１０，４０  後面部
１１，４１  右側面部
１２，４２  左側面部
１３，４３  底面後縁部
１４，４４  底面右縁部
１５，４５  底面左縁部
１６        蓋後部
１７        右側係止部
１８        左側係止部
１９，４６  前面右支持部
２０，４７  前面左支持部
３０，５０  底面部
３１，５１  前面部
３２，５２  差込係止部
３３        蓋前部
５３        蓋上面部
５９        蓋側部
６０        蓋部
【図１】
2014136579.tif 000003
【図２】
2014136579.tif 000004
【図３】
2014136579.tif 000005
【図４】
2014136579.tif 000006
【図５】
2014136579.tif 000007
【図６】
2014136579.tif 000008
【図７】
2014136579.tif 000009
【図８】
2014136579.tif 000010
【図９】
2014136579.tif 000011
【図１０】
2014136579.tif 000012
【図１１】
2014136579.tif 000013
【図１２】
2014136579.tif 000014
【図１３】
2014136579.tif 000015
【図１４】
2014136579.tif 000016
【図１５】
2014136579.tif 000017
【図１６】
2014136579.tif 000018
【図１７】
2014136579.tif 000019
【図１８】
2014136579.tif 000020